(57)【要約】【課題】設置面積を小さくすることができるとともに、居住域に効率良く清浄空気を循環することのできる空気清浄機を提供することを目的とする。【解決手段】吸気口１と吹出口２を有した縦長の本体３内に縦長に設けられるクロスフローファン７と、クロスフローファン７を囲み吸気流と吹出流を形成するケーシング８と、ケーシング８により形成される吸気流側に配設される縦長のフィルターユニット９とを備え、吸気口１と吹出口２を本体３の側面または斜め背面側に形成したことにより、設置面積が小さく、居住域に効率良く清浄空気を循環できる空気清浄機が得られる。【選択図】図１
2006015198.tif 000002
【特許請求の範囲】
【請求項１】
吸気口と吹出口を有した縦長の本体と、この本体内にモータにより駆動されるように設けられた縦長のクロスフローファンと、このクロスフローファンを囲み吸気流と吹出流を形成するケーシングと、このケーシングにより形成される吸気流側に配設される縦長のフィルターユニットとを備え、前記吸気口と吹出口を本体の側面もしくは斜め背面側に形成した空気清浄機。
【請求項２】
２つのフィルターユニットを本体内の吸気流側に略Ｖの字状に配設した請求項１記載の空気清浄機。
【請求項３】
本体前面を形成するフロントパネルの内面をクロスフローファンの外周円と同方向に突出する湾曲面で形成した請求項１または２記載の空気清浄機。
【請求項４】
複数設けられるフィルターユニットを同一形状、同一寸法に形成した請求項２または３記載の空気清浄機。
【請求項５】
本体に設けられる吹出口に、斜め前方に風向を向ける風向板を設けた請求項１記載の空気清浄機。
【請求項６】
複数のファン単体を連結板を介して縦長に連結したクロスフローファンと、このクロスフローファンの連結板に対向して吹出口に整流板を設けた請求項１記載の空気清浄機。
【請求項７】
クロスフローファンの外方に設けられるケーシングの舌部に前記クロスフローファン側に突出する凸部を設け、前記凸部と前記クロスフローファン間の隙間を３．５〜５ｍｍとした請求項１，２または３記載の空気清浄機。
【請求項８】
吸気風速の小さい側に配設されるフィルターユニットの形状を空気抵抗が少なくなるように厚み寸法を薄く形成した請求項２または３記載の空気清浄機。
【請求項９】
吸気風速の小さい側に配設されるフィルターユニットの形状を表面積が大きくなるように大形に形成した請求項２または３記載の空気清浄機。
【請求項１０】
３つのフィルターユニットを吸気流側の本体内に略コの字状に配設した請求項１，４，８または９記載の空気清浄機。
【発明の詳細な説明】
【技術分野】
【０００１】
本発明は、室内に設置し、室内の汚染された空気を浄化する空気清浄機に関する。
【背景技術】
【０００２】
従来、この種の空気清浄機の一例として、本体を縦長に形成されたものが知られている（例えば、特許文献１参照）。
【０００３】
以下、その空気清浄機について図１１および図１２を参照しながら説明する。
【０００４】
図に示すように、縦長箱状の本体１０１の正面にパネル１０２を設け、パネル１０２の内側に縦長のフィルター１０３を設け、パネル１０２に吸込口１０４を設け、本体１０１の両側面に吹出口１０５を設けている。本体１０１内には、水平方向に羽根１０６と羽根１０６を駆動する電送機１０７を設け、正面の吸込口１０４から吸い込んだ空気をフィルター１０３で浄化し側面の吹出口１０５より吹き出すように構成している。
【特許文献１】特公平４−７０９２５号公報（第２項、第３項、第２図、第４図）
【発明の開示】
【発明が解決しようとする課題】
【０００５】
このような従来の空気清浄機では、縦長の本体１０１に対し、羽根１０６と、羽根１０６を駆動する電動機１０７は水平方向に並べて設けているので、本体１０１の厚み寸法が厚くなると共に、径の大きな羽根１０６を収納するため本体１０１の横巾も大きくなり設置面積は大きくなるという課題があり、設置面積を小さくすることが要求されている。
【０００６】
また、前面に設けた吸込口１０４より吸い込んだ空気は側面に設けた吹出口１０５より吹き出されるように９０゜の狭い範囲に空気が流れるものであるので、室内の居住域に効率良く清浄空気を循環させることができないという課題があり、広範囲に空気が流れるようにすることが要求されている。
【０００７】
本発明は、上記課題を解決するもので、設置面積を小さくすることができ、また、室内の居住域に効率良く清浄空気を循環することのできる空気清浄機を提供することを目的としている。
【課題を解決するための手段】
【０００８】
本発明の空気清浄機は、上記目的を達成するために、吸気口と吹出口を有した縦長の本体と、この本体内にモータにより駆動されるように設けられた縦長のクロスフローファンと、このクロスフローファンを囲み吸気流と吹出流を形成するケーシングと、このケーシングにより形成される吸気流側に配設される縦長のフィルターユニットとを備え、前記吸気口と吹出口を本体の側面もしくは斜め背面側に形成したものである。
【０００９】
この手段により、設置面積を小さくすることができ、また、室内の居住域に効率良く清浄空気を循環することができる空気清浄機が得られる。
【００１０】
また、他の手段は、２つのフィルターユニットを本体内の吸気流側に略Ｖの字状に配設したものである。
【００１１】
この手段により、本体内部の通風スペースに有効にフィルターユニットを配置することができ、フィルターの通過面積を増大させることができ、また、フィルターユニットの、ほこり、臭いの捕集効率の向上を図ることのできる空気清浄機が得られる。
【００１２】
また、他の手段は、本体の前面を形成するフロントパネルの内面をクロスフローファンの外周円と同方向に突出する湾曲面で形成したものである。
【００１３】
この手段により、クロスフローファンのファン効率を向上することができる空気清浄機が得られる。
【００１４】
また、他の手段は、複数設けられるフィルターユニットを同一形状、同一寸法に形成したものである。
【００１５】
この手段により、フィルターユニットを共有化することができ、製造コストの低減が図れるとともに、フィルター清掃時や、交換時に際して、取付ミスを未然に防止することができる。
【００１６】
また、他の手段は、本体に設けられる吹出口に斜め前方に風向を向ける風向板を設けたものである。
【００１７】
この手段により、騒音を緩和し、室内の空気を効率良く循環することができる空気清浄機が得られる。
【００１８】
また、他の手段は、複数のファン単体を連結板を介して縦長に連結したクロスフローファンと、このクロスフローファンの連結板に対向して吹出口に整流板を設けたものである。
【００１９】
この手段により、風量の低下を生じることなく吹出気流の乱れを防止することができる。
【００２０】
また、他の手段は、クロスフローファンの外方に設けられるケーシングの舌部に、前記クロスフローファン側に突出する凸部を設け、前記凸部と前記クロスフローファン間の隙間を３．５〜５ｍｍとしたものである。
【００２１】
この手段により、ＮＺ音を発生させることなく、送風空気の逆流を防止し、風量の増大を図ることのできる空気清浄機が得られる。
【００２２】
また、他の手段は、吸気風速の小さい側に配設されるフィルターユニットの形状を空気抵抗が少なくなる厚み寸法を薄く形成したものである。
【００２３】
この手段により、各フィルターユニットの全表面に略均等に通風することができ、フィルター内での捕集効率や目詰まりのばらつきを防止することができる。
【００２４】
また、他の手段は、吸気風速の小さい側に配設されるフィルターユニットの形状を表面積が大きくなるように大形に形成したものである。
【００２５】
この手段により、フィルター内での捕集効率や目詰まりのばらつきを防止することができる。
【００２６】
また、他の手段は、３つのフィルターユニットを吸気流側の本体内に略コの字に配設したものである。
【００２７】
この手段により、本体内部のスペースを有効利用することができ、また、フィルターユニットでのほこり、臭いの捕集効率を向上することができ、また、本体の断面形状をさらに小さくすることができる。
【発明の効果】
【００２８】
本発明によれば、設置面積を小さくすることができるとともに、室内の居住域に効率良く清浄空気を循環することができる効果のある空気清浄機を提供できる。
【００２９】
また、本体内部の通風スペースの有効利用を図ることができるとともに、フィルターユニットのほこり、臭いの捕集効率の向上を図ることのできる効果のある空気清浄機を提供できる。
【００３０】
また、クロスフローファンの効率を向上できる。
【００３１】
また、フィルターユニットの共用化、コスト低減を図ることができる。
【００３２】
また、風量の低下を生じることなく、吹出気流の乱流を防止できる。
【００３３】
また、送風空気の逆流を防止し、風量の増大を図ることができる。
【００３４】
また、フィルター内での捕集効率や、目詰まりのばらつきを防止できる。
【発明を実施するための最良の形態】
【００３５】
本発明の請求項１記載の発明は、吸気口と吹出口を有した縦長の本体と、この本体にモータにより駆動されるように設けられた縦長のクロスフローファンと、このクロスフローファンを囲み吸気流と吹出流を形成するケーシングと、このケーシングにより形成される吸気流側に配設される縦長のフィルターユニットとを備え、前記吸気口と吹出口を本体の側面もしくは斜め背面側に形成したものであり、縦長の本体内に、縦長のクロスフローファンおよびフィルターユニットが配設されることにより、本体の断面形状を小さく形成することができ、設置面積を小さくすることができるとともに、層状の気流が発生して室内の居住域に効率良く清浄空気を循環することができるという作用を有する。
【００３６】
また、請求項２記載の発明は、２つのフィルターユニットを本体内の吸気流側に略Ｖの字状に配設したものであり、フィルターユニットを２つに分割し、Ｖの字状に配置することで本体内部の通風スペースに有効にフィルターユニットを配置することができ、フィルターの通過面積を増大させることができるとともに、同一風量の場合、フィルターの通過風速が遅くなり、フィルターユニットでのほこり、臭いの捕集効率の向上を図ることができるという作用を有する。
【００３７】
また、請求項３記載の発明は、本体の前面を形成するフロントパネルの内面をクロスフローファンの外周円と同方向に突出する湾曲面で形成したものであり、本体正面側のフィルターユニットへの送風路を広げることで、圧力損失の弱いクロスフローファンの効率を上げることができるとともに、フィルター開口部を有効に使うことができ、同一モータ搭載時の風量増大を図ることができるという作用を有する。
【００３８】
また、請求項４記載の発明は、複数設けられるフィルターユニットを同一形状、同一寸法に形成したものであり、フィルターユニットを共有化することで、製造コストの低減を図れるとともに、フィルター清掃時、交換時等における再取付の際、誤取付を防止することができるという作用を有する。
【００３９】
また、請求項５記載の発明は、本体に設けられる吹出口に、斜め前方に風向を向ける風向板を設けたものであり、吹出口を本体側面に設けることで、本体正面方向への吹出気流による発生音を防止するとともに、本体前方への気流により部屋の空気を効率良く循環することができるという作用を有する。
【００４０】
また、請求項６記載の発明は、複数のファン単体を連結板を介して縦長に連結したクロスフローファンと、このクロスフローファンの連結板に対向して吹出口に整流板を設けたものであり、クロスフローファンの長さ方向での吹出気流に乱れが生じた場合、騒音発生の原因となり、整流板を設けることで気流の乱れを防止し、騒音の発生を押えることができるが、整流板が圧力損失となり風量の低下に繋がるもので、整流板を気流の生じないクロスフローファンの連結板の対向位置に設けることで、風量の低下を生じることなく吹出気流の乱れを防止することができるという作用を有する。
【００４１】
また、請求項７記載の発明は、クロスフローファンの外方の設けられるケーシングの舌部に、前記クロスフローファン側に突出する凸部を設け、前記凸部と前記クロスフローファン間の隙間を３．５〜５ｍｍとしたものであり、一般にクロスフローファンの外方に設けられるケーシングの舌部に凸部を設けることで、ケーシング内の送風空気の逆流を防止することができるが、ＮＺ音の発生原因となることがあり、送風流路で圧力損失が比較的大きい場合、舌部における隙間を３．５〜５ｍｍにすることでＮＺ音の発生を抑制しつつ、送風空気の逆流を防止し、空気清浄機としての風量を増大させることができるという作用を有する。
【００４２】
また、請求項８記載の発明は、吸気風速の小さい側に配設されるフィルターユニットの形状を空気抵抗が少なくなるように厚み寸法を薄く形成したものであり、送風効率の悪いフィルターユニットの厚みを薄くすることで、フィルターの圧力損失を低減することが可能となり、各フィルターユニットの風速分布を均一にすることが可能となり、各フィルターユニット全面を略均等に使用することができるため、フィルター内での捕集効率の向上を図ることができるとともに、目詰まりのばらつきを緩和することができる。
【００４３】
また、請求項９記載の発明は、吸気風速の小さい側に配設されるフィルターユニットの形状を表面積が大きくなるように大形に形成したものであり、送風効率の悪いフィルターユニットの大きさを変更することで、フィルターの圧力損失を低減することが可能となり、各フィルターユニットの風速分布を均一にすることが可能となり、各フィルターユニット全面を均等に使用することができるため、フィルター内での捕集効率や、目詰まりのばらつきを防止することができるという作用を有する。
【００４４】
また、請求項１０記載の発明は、３つのフィルターユニットを吸気流側の本体内に略コの字状に配設したものであり、フィルターユニットを３つに分割し、コの字状に配置することで、本体内部の送風スペースに有効にフィルターユニットを配置することができ、フィルターの通過面積を増大させることができるとともに、同一風量の場合、フィルターの通過風速が遅くなり、フィルターユニットでのほこり、臭いの捕集効率の向上を図ることができ、本体の断面形状をさらに小さくすることができるという作用を有する。
【００４５】
以下、本発明の実施の形態について図面を参照しながら説明する。
【００４６】
（実施の形態１）
図１および図２に示すように、吸気口１と吹出口２を側面に有した縦形の本体３内にモータ４により駆動されるように、ファン単体５を連結板６を介して縦長に形成したクロスフローファン７を設け、クロスフローファン７を囲み、吸気流と吹出流を形成するケーシング８を設け、このケーシング８により形成される本体３内の吸気流側には、同一形状、同一寸法に形成した縦長のフィルターユニット９を略Ｖの字状に配設している。
【００４７】
また、本体３の前面を形成するフロントパネル１０の内面をクロスフローファン７の外周円と同方向に突出する湾曲面１１で形成し、本体３の背面側も逆方向に湾曲して吸気口１と吹出口２を形成し、本体３に設けられる吹出口２には斜め前方に風向を向ける風向板１２を設け構成する。
【００４８】
上記構成において、空気清浄機を運転すると、モータ４によりクロスフローファン７が回転し、ケーシング８により吸気流と排気流が形成され、吸気流により吸気口１から室内の汚染された空気が吸気され、吸気流側に設けたフィルターユニット９に塵埃が集塵される。このとき、２つのフィルターユニット９を略Ｖの字状に配設していることにより、本体３内の通風スペースを有効に活用することができるとともに、フィルターユニット９の通過面積は増大し、ほこり、臭い等の捕集効率が良化する。
【００４９】
また、フロントパネル１０の内面をクロスフローファン７の外周円と同方向に突出する湾曲面１１で形成していることにより、フロントパネル１０の内側に設けられたフィルターユニット９への送風路が拡がり、圧力損失の弱いクロスフローファン７の効率を上昇させることができる。
【００５０】
また、フィルターユニット９で浄化された空気がクロスフローファン７を介して吹出流側に流れ吹出口２から吹出される。このとき、吹出口２に設けた風向板１２によりフロントパネル１０側となる本体の前方に向け送風されることとなり、吹出口２を本体３の側面に設けることで、本体正面方向への吹出気流による発生音を防止することができるとともに、本体３前方への気流により室内の空気を効率良く循環させることができる。
【００５１】
さらに、縦長の本体３内に縦長のクロスフローファン７およびフィルターユニット９が配設されることにより、本体３の断面形状を小さく形成することができ、設置面積を小さくできるとともに、層状の気流が発生して室内の居住域に清浄空気を循環することができる。
【００５２】
また、フィルターユニット９を同一形状、同一寸法に形成することによりフィルターユニット９の共用化を図ることができ、フィルター清掃時や交換時等における再取付の際の誤取付を無くすことができる。
【００５３】
なお、実施の形態１ではフィルターユニット９をＶの字状に配設したものを用いて説明したが、フィルターユニット９を１個用いた場合においても本体３の断面形状を小さくすることができるものであることはいうまでもない。
【００５４】
（実施の形態２）
図３および図４に示すように、ファン単体５を連結板６Ａを介して縦長に連結したクロスフローファン７Ａの連結板６Ａに対向して吹出口２Ａに整流板１３を設け構成する。
【００５５】
上記構成において、クロスフローファン７Ａが回転され、気流が発生するとき、クロスフローファン７Ａの長さ方向で吹出気流に乱れが生じた場合には騒音が発生することとなるが、整流板１３を設けることで騒音の発生は押えることができるが、圧力損失を生じ風量が低下するものであった。
【００５６】
そこで、整流板１３を気流の生じないクロスフローファン７Ａに設けられる連結板６Ａの対向位置に設けて、風量の低下を生じることなく、吹出気流の乱れを防止して騒音の低下を図ることができることとなる。
【００５７】
（実施の形態３）
図５〜図７に示すように、クロスフローファン７Ｂの外方に設けられるケーシング８Ａの舌部１４にクロスフローファン７Ｂ側に突出する凸部１５を設け、凸部１５とクロスフローファン７Ｂ間の隙間も３．５〜５ｍｍに形成し構成する。
【００５８】
上記構成において、舌部１４に設けられる凸部１５とクロスフローファン７Ｂとの隙間も２〜７ｍｍと変化して実験した結果、図７に示す特性を得ることができ、その結果、舌部１４に設けられる凸部１５とクロスフローファン７Ｂとの隙間ｔが３．５〜５ｍｍの範囲では騒音も小さく、風量も大きい良好な結果を得ることができ、ＮＺ音を発生させることなく、送風空気の逆流を防止し、風量の増大を図ることができることとなる。
【００５９】
（実施の形態４）
図８に示すように、Ｖの字状に設けられるフィルターユニット９Ａと９Ｂのうち、吸気風速の小さい側に配設されるフィルターユニット９Ａの形状を空気抵抗が少なくなるように厚み寸法を薄く形成し構成する。
【００６０】
上記構成において、吸気口１Ａから吸気された気流は、フロントパネル１０Ａの内面に沿いフィルターユニット９Ｂ側に風速の大きい状態で流れ、他方のフィルターユニット９Ａ側には風速の小さい気流が流れることとなるが、このとき、フィルターユニット９Ａの厚みは薄く形成されていることで、フィルターユニット９Ａ側の圧力損失を低減することが可能となり、フィルターユニット９Ａと９Ｂの風速分布を略均一にすることが可能となり、各フィルターユニット９Ａと９Ｂの全面を均等に使用することができる。したがって、各フィルターユニット９Ａと９Ｂでのほこり、臭い等の捕集効率の向上を図ることができるとともに、目詰まりのばらつきを緩和することができるものである。
【００６１】
（実施の形態５）
図９に示すように、Ｖの字状に設けられるフィルターユニット９Ｃと９Ｄのうち吸気風速の小さい側に配設されるフィルターユニット９Ｃの形状を、他方のフィルターユニット９Ｄより表面積が大きくなるように形成し構成する。
【００６２】
上記構成において、吸気口１Ａから吸気された気流は、フロントパネル１０Ａの内面に沿いフィルターユニット９Ｄ側に風速の大きい状態で流れ、他方のフィルターユニット９Ｃ側には風速の小さい気流が流れることとなるが、このとき、フィルターユニット９Ｃの表面積は大きく形成されていることでフィルターユニット９Ｃ側の圧力損失を低減することが可能となり、フィルターユニット９Ｃと９Ｄの風速分布を均一にすることが可能となり、各フィルターユニット９Ｃと９Ｄの全面を均等に使用することができる。したがって、各フィルターユニット９Ｃと９Ｄでのほこり、臭い等の捕集効率の向上を図ることができるとともに、目詰まりのばらつきを緩和することができるものである。
（実施の形態６）
図１０に示すように、３つのフィルターユニット９Ｅを吸気流側の本体３Ａ内に略コの字状に配設した構成とする。
【００６３】
上記構成において、吸気口１Ａから吸気された空気は、３つのフィルターユニット９Ｅに分散されて汚染された空気が浄化されることとなる。そして本体３Ａ内の送風スペースに有効にフィルターユニット９Ｅを配置することができ、フィルターユニット９Ｅの通過面積を増大させることができるとともに、同一風量の場合、フィルターユニット９Ｅの通過風速が遅くなり、フィルターユニット９Ｅでのほこり、臭い等の捕集効率の向上を図ることができ、本体３Ａの断面形状を本体３と比較してさらに小さくすることができるものである。
【産業上の利用可能性】
【００６４】
クロスフローファンを用いた空気調和機の吹出口に、クロスフローファンの連結板に対向する整流板を設けて騒音を緩和することにも適用できる。
【図面の簡単な説明】
【００６５】
【図１】本発明の実施の形態１の空気清浄機の横断面図
【図２】同空気清浄機の縦断面図
【図３】本発明の実施の形態２の空気清浄機のクロスフローファンと整流板の関係を示す概略図
【図４】同空気清浄機の横断面図
【図５】本発明の実施の形態３の空気清浄機の横断面図
【図６】同空気清浄機の舌部部分とクロスフローファン関係を示す拡大図
【図７】同空気清浄機の舌部の凸部とクロスフローファンとの隙間の変化による特性を示す特性図
【図８】本発明の実施の形態４の空気清浄機の横断面図
【図９】本発明の実施の形態５の空気清浄機の横断面図
【図１０】本発明の実施の形態６の空気清浄機の横断面図
【図１１】従来の空気清浄機の分解斜視図
【図１２】同空気清浄機の上面側側面断面図
【符号の説明】
【００６６】
１        吸気口
２        吹出口
２Ａ      吹出口
３        本体
３Ａ      本体
４        モータ
５        ファン単体
６        連結板
６Ａ      連結板
７        クロスフローファン
７Ａ      クロスフローファン
７Ｂ      クロスフローファン
８        ケーシング
８Ａ      ケーシング
９        フィルターユニット
９Ａ      フィルターユニット
９Ｃ      フィルターユニット
９Ｅ      フィルターユニット
１０      フロントパネル
１１      湾曲面
１２      風向板
１３      整流板
１４      舌部
１５      凸部
【図１】
2006015198.tif 000003
【図２】
2006015198.tif 000004
【図３】
2006015198.tif 000005
【図４】
2006015198.tif 000006
【図５】
2006015198.tif 000007
【図６】
2006015198.tif 000008
【図７】
2006015198.tif 000009
【図８】
2006015198.tif 000010
【図９】
2006015198.tif 000011
【図１０】
2006015198.tif 000012
【図１１】
2006015198.tif 000013
【図１２】
2006015198.tif 000014